(57)【要約】【課題】  トナー画像転送媒体に所定の印刷パターンを形成し、該印刷パターンの形成結果を検索し、該検索の結果に基づいて後に続く印刷処理における印刷条件を補正する補正情報生成手段を有する画像形成装置においてモノクロ印刷時のスループットを向上させる。【解決手段】  印刷条件判断部１０が、上記後に続く印刷処理がモノクロ印刷であるか否かを判断し、この判断結果がモノクロ印刷であるとキャリブレーション保留決定部１１が、キャリブレーション実行部９の起動を保留させる。【選択図】        図１
2007065377.tif 000002
【特許請求の範囲】
【請求項１】
第一の所定条件が満たされたとき、トナー画像転写媒体に所定のトナーパターンを形成し、該トナーパターンを検証し、該検証の結果に基づいて印刷処理における印刷制御を補正する補正情報生成手段と、
第二の所定条件に基づいて前記補正情報生成手段の起動を保留させる補正情報保留手段を備えることを特徴とする画像形成装置。
【請求項２】
前記補正情報生成手段は、
前記トナー画像転写媒体に所定濃度パターンを形成し、
前記印刷処理におけるトナー濃度制御を補正する濃度補正情報を生成することを特徴とする請求項１に記載の画像形成装置。
【請求項３】
前記トナー画像転写媒体に対向する複数の画像形成部を更に備え、
前記補正情報生成手段は、
前記トナー画像転写媒体に前記複数の画像形成部によりトナーパターンを重ねて形成し、
前記印刷処理における画像形成位置制御を補正する位置補正情報を生成することを特徴とする請求項１に記載の画像形成装置。
【請求項４】
前記トナー画像転送媒体は、トナー画像印刷媒体、印刷媒体搬送体、及びトナー画像搬送媒体の少なくとも一方を含むことを特徴とする請求項１から請求項３までの何れか一項に記載の画像形成装置。
【請求項５】
受信データがモノクロデータであるか否かを判断する印刷条件判断手段を更に備え、
前記第二の所定条件は、該印刷条件判断手段による判断結果がモノクロデータであることを特徴とする請求項１から請求項４までの何れか一項に記載の画像形成装置。
【請求項６】
受信データが複数色データか単色データかを判断する印刷条件判断手段を更に備え、
前記第二の所定条件は、該印刷条件判断手段による判断結果が単色データであることを特徴とする請求項１から請求項４までの何れか一項に記載の画像形成装置。
【請求項７】
受信データが階調データであるか否かを判断する印刷条件判断手段を更に備え、
前記第二の所定条件は、該印刷条件判断手段による判断結果が階調データでないことを特徴とする請求項１から請求項４までの何れか一項に記載の画像形成装置。
【請求項８】
電源投入時のＰｏｗｅｒＯｎ処理中に受信可能に設定される受信手段を更に備え、
前記印刷条件判断手段は、
ＰｏｗｅｒＯｎ処理中に前記受信手段が受信した受信データに基づいて判断することを特徴とする請求項５から請求項７までの何れか一項に記載の画像形成装置。
【請求項９】
印刷媒体に形成されたトナー画像を定着させる定着手段を定着可能な温度に移行させる定着温度移行手段を更に備え、
該定着温度移行手段と前記補正情報生成手段は、同時に起動されることを特徴とする請求項１から請求項８までの何れか一項に記載の画像形成装置。
【請求項１０】
前記補正情報生成手段の稼動中に、前記補正情報保留手段により保留が決定されると、前記補正情報生成手段の稼動が中止されることを特徴とする請求項１から請求項９までの何れか一項に記載の画像形成装置。
【請求項１１】
印刷モードを予め所定の印刷モードに設定可能とし、該特定の印刷モードに設定されると前記補正情報生成手段の起動を停止させるモード切替手段を更に備えることを特徴とする請求項１から請求項１０までの何れか一項に記載の画像形成装置。
【請求項１２】
前記第一の所定条件は、電源投入であることを特徴とする請求項１に記載の画像形成装置。
【請求項１３】
前記第一の所定条件は、装置カバーが閉じられたときであることを特徴とする請求項１に記載の画像形成装置。
【請求項１４】
前記第一の所定条件は、所定枚数の印刷がされた後であることを特徴とする請求項１に記載の画像形成装置。
【発明の詳細な説明】
【技術分野】
【０００１】
本発明は、画像形成装置、特に階調印字濃度や色ずれを最適化するキャリブレーション（調整）実行手段を有する画像形成装置に関するものである。
【背景技術】
【０００２】
画像形成装置、特にカラー電子写真方式のプリンタでは、階調印字濃度を最適に維持することが極めて重要な管理項目である。この目的を達成するために、通常、一定の周期、条件毎に階調印字濃度のキャリブレーションが実行されている。このキャリブレーションによって、画像形成装置内部の部品の経年変化、トナーの使用量、印刷した枚数、さらには、温度、湿度等、当該画像形成装置が設置されている場所での環境の変化、もしくは相違等、種々の要因によって発生する階調印字濃度の変化を補正している。この階調印字濃度のキャリブレーションでは、上記カラー電子写真方式のプリンタの場合、感光ドラム上、もしくは搬送ベルト上にトナーによってパッチ像を形成し、その濃度を光学センサによって読み取る。この読み取り結果に基づいて画像データを処理する際に用いる出力γ補正テーブルのデータ値等を変更、又は更新している（特許文献１参照）。
【０００３】
一方、上記カラー電子写真方式のプリンタ等では、カラー印刷以外のモノクロの文字、画像を印刷する場合もある。このような場合に、印刷されるカラー画像とモノクロ画像とでは、要求される画像品質のレベルが異なる。しかしながら、従来の画像形成装置では、印刷される画像の種類にかかわらず、一定の周期や条件毎にキャリブレーションが実行されていた。そのために、例えばモノクロ画像印刷を実行したい利用者にとっては、キャリブレーションが実行されることによって印刷待機時間が長くなり、スループット能力が低下してしまうと言う結果を招いていた。
【特許文献１】特開平８−２３０２３４号公報
【発明の開示】
【発明が解決しようとする課題】
【０００４】
解決しようとする問題点は、上記従来の画像形成装置では、印刷される画像の種類にかかわらず、一定の周期や条件毎にキャリブレーションや色ずれ補正が実行されていた。そのために、例えばモノクロ画像印刷を実行したい利用者にとっては、キャリブレーションや色ずれ補正が実行されることによって印刷待機時間が長くなりスループット能力が低下してしまうと言う点である。
【課題を解決するための手段】
【０００５】
本発明による画像形成装置は、第一の所定条件が満たされたとき、トナー画像転写媒体に所定のトナーパターンを形成し、該トナーパターンを検証し、該検証の結果に基づいて印刷処理における印刷制御を補正する補正情報生成手段と、第二の所定条件に基づいて上記補正情報生成手段の起動を保留させる補正情報保留手段を備えることを最も主要な特徴とする。ここで第一の所定条件とは、電源投入時、装置カバーが閉じられたとき、所定枚数の印刷がなされた後、であり、第二の所定条件は、モノクロデータであること、単色データであること、階調データでないこと、である。
【発明の効果】
【０００６】
所定の条件に基づいて上記補正情報生成手段の起動を保留させる補正情報保留手段を備えることによって、例えばモノクロ画像印刷を実行したい利用者にとっては、モノクロ画像印刷時に補正情報生成手段の起動を保留させることが可能になり、スループット能力が低下してしまうという不都合が発生しなくなるという効果を得る。
【発明を実施するための最良の形態】
【０００７】
印刷モードを予め特定の印刷モードに設定可能とし、該特定の印刷モードに設定されると上記キャリブレーション実行手段の起動を停止させるモード切替手段を更に備えることとした。
【実施例１】
【０００８】
図１は、実施例１による画像形成装置の機能ブロック図である。
図に示すように、実施例１の画像形成装置１００は、データ受信部１と、入出力バッファ２と、操作パネル３と、パネルＩＦ部４と、外部メモリ５と、メモリＩＦ部６と、画像情報生成部７と、画像情報展開部８と、キャリブレーション実行部９と、印刷条件判断部１０と、キャリブレーション保留決定部１１と、印刷工程起動部１２と、ＣＰＵ１３と、ＲＯＭ１４と、ＲＡＭ１５と、共通バス１６と、シャッター機構５１と、反射型センサ５２と、エンジン制御部７０と、エンジンＩＦ部７１と、プリントエンジン部９０とを備える。
【０００９】
データ受信部１は、ホストコンピュータ３００との間での所定のネットワーク３１０を介してデータの入出力を制御する部分である。入出力バッファ２は、データ受信部１を介して入出力されるデータを一時的に格納するバッファである。操作パネル３は、利用者が画像形成装置１００に自己の意向を入力したり、あるいは又画像形成装置１００が利用者に対して所定の画像を表示して所定の事項の入力を求めたりする操作盤である。パネルＩＦ部４は、操作パネル３を共通バス１６へ通信接続するインタフェース部分である。外部メモリ５は、印刷データや画像形成装置１００の様々な情報等の保存に用いられる、フロッピーディスク等の外部メモリである。メモリＩＦ部６は、外部メモリ５を共通バス１６へ通信接続するインタフェース部分である。
【００１０】
画像情報生成部７は、入出力バッファ２から受信データを受入れて所定の画像処理を実行し、プリントエンジン部９０で印刷する画像オブジェクトを生成する部分である。この部分は、ＲＯＭ１４に予め格納されている所定の制御プログラムをＣＰＵ１３が実行することによって起動されるコンピュータ制御手段である。
【００１１】
画像情報展開部８は、画像情報生成部７が生成した画像オブジェクトをビットマップにしてＲＡＭ１５の所定の領域に展開する部分である。この部分は、ＲＯＭ１４に予め格納されている所定の制御プログラムをＣＰＵ１３が実行することによって起動されるコンピュータ制御手段である。
【００１２】
キャリブレーション実行部９は、その内部に濃度検出用パターン形成手段９−１、画像濃度検出手段９−２、濃度補正手段９−３とを有し、トナー画像転送媒体に所定の濃度パターンを形成し、該濃度パターンのトナー濃度を検出し、該検出の結果に基づいて後に続く印刷処理におけるトナー濃度を補正するための、出力γ補正テーブルを更新するキャリブレーションを実行する部分である。ここでトナー画像転送媒体とは、後述するプリントエンジン部９０が有する感光ドラム、印刷媒体、又は搬送ベルトを言う。この部分は、ＲＯＭ１４に予め格納されている所定の制御プログラムをＣＰＵ１３が実行することによって起動されるコンピュータ制御手段である。
【００１３】
印刷条件判断部１０は、入出力バッファから受信データを受入れると、後に続く印刷データがモノクロデータであるか否かを判断する部分である。この部分は、ＲＯＭ１４に予め格納されている所定の制御プログラムをＣＰＵ１３が実行することによって起動されるコンピュータ制御手段である。又、この部分は、後に続く受信データが複数色データか単色データかを判断する部分であっても良いし、叉は、後に続く受信データが階調データであるか否かを判断する部分であっても良い。
【００１４】
キャリブレーション保留決定部１１は、印刷条件判断部１０の判断結果がモノクロ印刷である場合には、キャリブレーション実行部９の起動を保留させる部分である。この部分は、ＲＯＭ１４に予め格納されている所定の制御プログラムをＣＰＵ１３が実行することによって起動されるコンピュータ制御手段である。
【００１５】
印刷工程起動部１２は、ＲＯＭ１４、ＲＡＭ１５の初期化、プリントエンジン部９０のウォーミングアップ、印刷条件判断部１０及びキャリブレーション保留決定部１１の判断結果、更には、キャリブレーション実行部９の起動・・・等々に基づいて印刷工程の稼動を開始させる部分である。この部分は、ＲＯＭ１４に予め格納されている所定の制御プログラムをＣＰＵ１３が実行することによって起動されるコンピュータ制御手段である。
【００１６】
ＣＰＵ１３は、ＲＯＭ１４に予め格納されている制御プログラムを実行して画像形成装置１００全体を制御する中央演算処理装置である。本実施例では特に、所定の制御プログラムを実行して、キャリブレーション実行部９、印刷条件判断部１０、キャリブレーション保留決定部１１、及び印刷工程起動部１２を起動する部分である。
【００１７】
ＲＯＭ１４は、ＣＰＵ１３が実行することによって画像形成装置１００全体を制御する制御プログラム、及び制御データを予め格納するリードオンリメモリである。特に本実施例では、キャリブレーション実行部９、印刷条件判断部１０、キャリブレーション保留決定部１１、及び印刷工程起動部１２を起動する制御プログラムを予め格納するリードオンリメモリである。更に、濃度検出用パターン形成手段９−１の起動に必要な濃度パターンデータ、及び濃度補正手段９−３の起動に必要な出力γ補正テーブルのデータ値等を予め格納するリードオンリメモリである。
【００１８】
ＲＡＭ１５は、ＣＰＵ１３が所定の制御プログラムを実行する際に必要になる演算領域を提供するランダムアクセスメモリである。
共通バス１６は、各構成部分とＣＰＵ１３とを通信接続するデータ線である。
シャッター機構５１、及び反射型センサ５２は、画像濃度検出手段９−２がトナー画像転送媒体に形成された所定の濃度パターンのトナー濃度を検出する手段である。この手段については後に詳細に再度説明する。
【００１９】
エンジン制御部７０は、ＣＰＵ１３の制御に基づいて画像情報展開部８からビットマップデータを受入れて、プリントエンジン部９０を制御して印刷処理を実行する部分である。この部分は、ＲＯＭ１４に予め格納されている所定の制御プログラムをＣＰＵ１３が実行することによって起動されるコンピュータ制御手段である。
エンジンＩＦ部７１は、エンジン制御部７０とプリントエンジン部９０とを通信接続するインタフェース部分である。
【００２０】
プリントエンジン部９０は、エンジン制御部７０の制御に基づいて印刷処理を実行する部分である。プリントエンジン部９０の機構部分の概要、及び動作の概要について以下に説明する。
【００２１】
図２は、プリントエンジン部の概要説明図である。
図に示すように、記録紙１８は、給紙カセット１７から、図示しない給紙ローラと分離部材によって1枚ずつ分離されて図示しないレジストローラ対に送り出される。レジストローラ対は、記録紙１８を所定のタイミングで、搬送路を形成する搬送ベルト２１へ送り出す。搬送ベルト２１は、駆動ローラ２２と従動ローラ２３によって張り渡されている。又、搬送ベルト２１は、本発明においては、トナーによる濃度パターンが形成される部分でもある（詳細は後述）。
【００２２】
駆動ローラ２２は、エンジン制御部７０の制御に基づいて図示されていないモータ等の駆動機構によって回転駆動される。搬送ベルト２１は、記録紙１８を各色の画像形成手段３０Ｙ、３０Ｍ、３０Ｃ、３０Ｋに順次搬送する。そのとき記録紙１８に各色の画像形成手段３０Ｙ、３０Ｍ、３０Ｃ、３０Ｋで、それぞれイエロートナー像、マゼンタトナー像、シアントナー像、ブラックトナー像が形成される。
【００２３】
各色の画像形成手段３０Ｙ、３０Ｍ、３０Ｃ、３０Ｋには、感光ドラム３１Ｙ〜３１Ｋが搬送ベルトの搬送方向に沿って等間隔で配設されており、それぞれの感光ドラム３１Ｙ〜３１Ｋの周囲に、帯電ローラ３２Ｙ〜３２Ｋ、露光器３３Ｙ〜３３Ｋ、現像器３４Ｙ〜３４Ｋ、転写ローラ３５Ｙ〜３５Ｋ、クリーニング手段３６Ｙ〜３６Ｋ、及び図示しない除電手段が配設されている。
【００２４】
各色の画像形成手段３０Ｙ〜３０Ｋは、図示しない駆動機構によって回転駆動され、感光ドラム３１Ｙ〜３１Ｋは、帯電ローラ３２Ｙ〜３２Ｋによって、その表面が一様に帯電される。露光器３３Ｙ〜３３Ｋは、画像データで変調されたＬＥＤ光を感光ドラム３１Ｙ〜３１Ｋに照射し、静電潜像を形成する。この静電潜像が形成された部分に、現像器３４Ｙ〜３４Ｋによって各色のトナーが付着され各色のトナー像が形成される。
【００２５】
各色の画像形成手段３０Ｙ〜３０Ｋは、搬送ベルト２１と感光ドラム３１Ｙ〜３１Ｋとの間に記録紙１８が搬送されると、搬送ベルト２１の背面に配設されている転写ローラ３５Ｙ〜３５Ｋに転写電圧を印加して感光ドラム３１Ｙ〜３１Ｋ上のイエロー（Ｙ）、マゼンタ（Ｍ）、シアン（Ｃ）、ブラック（Ｋ）の各色のトナー像を順次記録紙１８に重ねて転写させる。トナー像の転写が完了した感光ドラム３１Ｙ〜３１Ｋは、クリーニング手段３６Ｙ〜３６Ｋによって残留トナーが排除され、除電された後、再度帯電ローラ３２Ｙ〜３２Ｋによって帯電され次の画像形成動作が繰り返し実行される。
【００２６】
イエロー（Ｙ）、マゼンタ（Ｍ）、シアン（Ｃ）、ブラック（Ｋ）の各色のトナー像が転写された記録紙１８は、静電的に搬送ベルト２１に吸着された状態で搬送ベルト２１によって更に搬送され、搬送ベルト２１から分離され、定着手段４０に搬送される。定着手段４０は、定着ローラ４１、加圧ローラ４２を備えている。定着ローラ４１と、加圧ローラ４２は、所定の押圧力で押圧され、図示しないモータにより回転駆動される。定着ローラ４１は、内部の加熱ヒータにより所定温度に加熱制御される。
【００２７】
定着手段４０は、イエロー（Ｙ）、マゼンタ（Ｍ）、シアン（Ｃ）、ブラック（Ｋ）の各色のトナー像が転写され、搬送ベルト２１により搬送されてきた記録紙１８を定着ローラ４１と加圧ローラ４２で加熱・加圧することによって、各色のトナー像を記録紙１８に定着させ、図示しない排紙ローラ対によって、図示しない排紙トレイ上に排出する。
【００２８】
シャッター機構５１と反射型センサ５２とは、搬送ベルト２１に対して、画像形成手段３０Ｙ〜３０Ｋの反対側に配設され、反射型センサ５２の発光・受光素子が図中上向きに取り付けられる。反射型センサ５２は、図示していないが、発光素子と受光素子とを内蔵しており、通常発光素子としては発光ダイオード等が使用され、受光素子としてはフォトダイオードが使用される。シャッター機構５１は、図示しないモータもしくは電磁弁により開閉する構造で、キャリブレーション実行部９（図１）が起動するときは開き、通常は閉じた状態で、反射型センサ５２を飛散したトナー等から保護している。ベルトクリーニング手段８０は、キャリブレーション実行部９（図１）によって搬送ベルト２１上に形成された濃度検出用パターンを除去する手段である。
【００２９】
次に、キャリブレーション実行部９（図１）の機能について、シャッター機構５１と反射型センサ５２とを含めて再度詳細に説明する。
図３は、濃度検出用パターンの説明図である。
図は、図２の搬送ベルト２１を上下反転して表した図である。即ち、画像形成手段３０Ｙ〜３０Ｋは、この図では下側に配設されることになる。
【００３０】
図に示すように、濃度検出用パターン形成手段９−１（図１）は、エンジン制御部７０（図１）を制御して、画像形成手段３０Ｙ〜３０Ｋ（図２）に対して搬送ベルト２１上に、Ｙ、Ｍ、Ｃ、Ｋ、４色のパターンからなる検出用画像（３０％）６０、検出用画像（５０％）６１、検出用画像（７０％）６２を形成させる。このパターンの位置情報及び各色の階調度情報（1例として上記、３０％、５０％、７０％）は予めＲＯＭ１４（図1）に格納されている。
【００３１】
画像濃度検出手段９−２（図１）は、エンジン制御部７０（図１）を制御し、シャッター機構５１を開いて、反射型センサ５２を用いて搬送ベルト２１上の、検出用画像（３０％）６０、検出用画像（５０％）６１、検出用画像（７０％）６２における各色毎の反射光を検出し、実際の濃度を測定する。
【００３２】
濃度補正手段９−３（図１）は、階調度情報（実際に印刷されるべき濃度、３０％、５０％、７０％）と画像濃度検出手段９−２（図１）により検出された実際の濃度に基づいて、ＲＯＭ１５（図１）から読み出してＲＡＭ１５上に保持されている出力γ補正テーブルを更新する。更に、この更新された出力γ補正テーブルにより、受信データのトナー濃度を補正する。この補正されたトナー濃度が、後に続く印刷処理の制御データとして用いられることになる。
【００３３】
次に本実施例の画像形成装置１００の印刷処理動作について説明する。最初にフローチャートを用いて説明し、続いてタイムチャートを用いて説明する。
図４は、実施例１の画像形成装置の印刷処理フローチャートである。
画像形成装置１００の印刷処理動作について、図のステップＳ１−１〜ステップＳ１−１２までステップ順に説明する。
【００３４】
ステップＳ１−１
画像形成装置１００（図１）に電源が投入されると、ＣＰＵ１３（図１）の制御に基づいて各構成部分の初期化が開始される。この初期化には、ＲＯＭ１４（図１）及びＲＡＭ１５（図１）のチェック、メニュー値の設定、…等々、印刷工程を起動するために必要なプログラム的な準備の全てを含むものとする。
【００３５】
ステップＳ１−２
ＲＯＭ１４（図１）及びＲＡＭ１５（図１）のチェック、メニュー値の設定などが終了すると、データ受信部１（図１）は、ネットワーク３１０（図１）を介してホストコンピュータ３００（図１）からデータ受信可能になる。そこでデータ受信部１（図１）は、データ受信を待って待機する。データが受信されればステップＳ１−４へ進み、データが受信されなければ、ステップＳ１−３へ進む。スリープ状態になってもデータを受信しない場合は、キャリブレーションを実行しても良い。その場合にはＦｌａｇをＯＮとする。
【００３６】
ステップＳ１−３
プリントエンジン部９０（図１及び図２）のウォーミングアップ等、その他の処理、例えば消費電力を節減するためのスリープ状態などを維持し、データが受信されればスリープ状態を解消してステップＳ１−４へ進む。
【００３７】
ステップＳ１−４
ＣＰＵ１３は、キャリブレーションが実行済みか否かを実行済みＦｌａｇにより判断し、キャリブレーションが未実行の場合にはステップＳ１−５へ進み、実行済みの場合にはステップＳ１−９へ進む。
【００３８】
ステップＳ１−５
印刷条件判断部１０（図１）は、入出力バッファ２（図１）から受信データを受入れて後に続く印刷処理がモノクロページであるか否かを判断し、モノクロページである場合にはステップＳ１−７へ進み、そうでない場合にはステップＳ１−６へ進む。受信データには、そのデータがモノクロ／カラーを示すコマンドが入っているものとする。
【００３９】
ステップＳ１−６
印刷条件判断部１０（図１）の判断結果がカラーページなので印刷処理の前にキャリブレーション必要になる。そこで印刷工程起動部１２（図１）は、キャリブレーションが終了するのを待って待機し、終了後にステップＳ１−９へ進む。
【００４０】
ステップＳ１−７
キャリブレーション保留決定部１１（図１）は、印刷条件判断部１０（図１）の判断結果がモノクロページなので、キャリブレーション実行部９（図１）の起動を保留させてステップＳ１−８へ進む。パターン印刷の途中や、その以前だった場合には、現在のキャリブレーション処理を中止する。叉、現在の状態が、パターン濃度検出以降であれば、そのままキャリブレーションを実行しても良い。
【００４１】
ステップＳ１−８
キャリブレーション保留決定部１１（図１）は、保留フラグをオンし、印刷工程起動部１２（図１）が、画像形成装置１００（図１）が印刷処理可能状態になったと判断するとステップＳ１−９へ進む。
【００４２】
ステップＳ１−９
ＣＰＵ１３は、受信データの印刷処理を実行する。印刷の前には、定着部へのウォーミングアップが終了している必要がある。叉、ウォーミングアップが長くかかる（例えば、開始したばかりや、外気温度が低いなど）と判断した場合には、ウォーミングアップと共にキャリブレーションを実行しても良い。
【００４３】
ステップＳ１−１０
ＣＰＵ１３は、受信データの印刷処理が終了すると保留フラグを検索し、保留フラグがオフの場合にはフローを終了し、保留フラグがオンの場合にはステップＳ１−１１へ進む。
【００４４】
ステップＳ１−１１
キャリブレーション実行部９（図１）は、キャリブレーションを実行する。キャリブレーション保留決定部１１（図１）の決定に基づいて印刷処理の前にはキャリブレーションの実行が保留されているので、印刷処理の終了後にキャリブレーションの実行が必要だからである。
【００４５】
ステップＳ１−１２
キャリブレーション実行部９（図１）は、キャリブレーションの実行後に保留フラグ
をオフしてフローを終了する。
【００４６】
図５は、実施例１の電源投入時にモノクロデータを受信した場合のタイムチャートである。
図の上から順番に（ａ）初期化処理、（ｂ）キャリブレーション処理、（ｃ）印刷データの受信、及び（ｄ）印刷処理、各々の開始・終了（オン・オフ）を表し、最下段に各項目共通の時刻を表している。時刻Ｔ０〜時刻Ｔ８まで時刻順に説明する。
【００４７】
時刻Ｔ０
画像形成装置１００（図１）に電源が投入され、初期化処理が開始される。
【００４８】
時刻Ｔ１
ＲＯＭ１４（図１）及びＲＡＭ１５（図１）のチェック、メニュー値の設定などが終了すると、データ受信部１（図１）は、ネットワーク３１０（図１）を介してホストコンピュータ３００（図１）からデータ受信可能になる。
ほぼ同時に定着部のウォーミングを開始すると共に、キャリブレーション実行部９（図１）がキャリブレーション処理を開始する。
【００４９】
時刻Ｔ２
データ受信部１（図１）がネットワーク３１０（図１）を介してホストコンピュータ３００（図１）からモノクロデータを受信する。
【００５０】
時刻Ｔ３
印刷条件判断部１０（図１）が、入出力バッファ２（図１）から受信データを受入れて後に続く印刷処理がモノクロページであると判断し、この判断結果に基づいてキャリブレーション保留決定部１１（図１）がキャリブレーションの保留を決定する。その結果キャリブレーション処理はオフする。
【００５１】
時刻Ｔ４
印刷工程起動部１２（図１）は、キャリブレーションの中止とウォーミングアップの完了により、画像形成装置１００（図１）が印刷処理可能状態になったと判断する。この判断に基づいてＣＰＵ１３（図１）は、受信データの印刷処理を開始する。
【００５２】
時刻Ｔ５
データ受信部１（図１）がモノクロデータを受信を終了する。
【００５３】
時刻Ｔ６
ＣＰＵ１３（図１）は、受信データの印刷処理を終了する。
【００５４】
時刻Ｔ７
キャリブレーション実行部９（図１）は、キャリブレーションの実行を開始する。
【００５５】
時刻Ｔ８
キャリブレーション実行部９（図１）は、キャリブレーションの実行を終了して動作を完了する。
【００５６】
図６は、実施例１の電源投入時にモノクロ・カラーデータを受信した場合のタイムチャートである。
図の上から順番に（ａ）初期化処理、（ｂ）キャリブレーション処理、（ｃ）印刷データの受信、及び（ｄ）印刷処理、各々の開始・終了（オン・オフ）を表し、最下段に各項目共通の時刻を表している。時刻Ｔ1０〜時刻Ｔ２２まで時刻順に説明する。
【００５７】
時刻Ｔ１０
画像形成装置１００（図１）に電源が投入され、初期化処理が開始される。
【００５８】
時刻Ｔ１１
ＲＯＭ１４（図１）及びＲＡＭ１５（図１）のチェック、メニュー値の設定などが終了すると、データ受信部１（図１）は、ネットワーク３１０（図１）を介してホストコンピュータ３００（図１）からデータ受信可能になる。
ほぼ同時に定着部のウォーミングアップを開始するとともに、キャリブレーション実行部９（図１）がキャリブレーション処理を開始する。
【００５９】
時刻Ｔ１２
データ受信部１（図１）がネットワーク３１０（図１）を介してホストコンピュータ３００（図１）からモノクロデータを受信する。
【００６０】
時刻Ｔ１３
印刷条件判断部１０（図１）が、入出力バッファ２（図１）から受信データを受入れて後に続く印刷処理がモノクロデータであると判断し、この判断結果に基づいてキャリブレーション保留決定部１１（図１）がキャリブレーションの保留を決定する。その結果キャリブレーション処理はオフする。
【００６１】
時刻Ｔ１４
印刷工程起動部１２（図１）は、キャリブレーションの中止とウォーミングアップの完了により、画像形成装置１００（図１）が印刷処理可能状態になったと判断する。この判断に基づいてＣＰＵ１３（図１）は、受信データの印刷処理を開始する。
【００６２】
時刻Ｔ１５
データ受信部１（図１）がモノクロデータを受信を終了する。
【００６３】
時刻Ｔ１６
データ受信部１（図１）がカラーデータを受信を開始する
【００６４】
時刻Ｔ１７
データ受信部１（図１）がカラーデータの受信を終了する。
【００６５】
時刻Ｔ１８
ＣＰＵ１３（図１）は、モノクロデータの印刷処理を終了する。
【００６６】
時刻Ｔ１９
キャリブレーション実行部９（図１）は、キャリブレーションの実行を開始する。
【００６７】
時刻Ｔ２０
キャリブレーション実行部９（図１）は、キャリブレーションの実行を終了する。
【００６８】
時刻Ｔ２１
印刷工程起動部１２（図１）は、キャリブレーションの終了と、定着温度の上昇完了により、画像形成装置１００（図１）がカラー印刷処理可能状態になったと判断する。この判断に基づいてＣＰＵ１３（図１）は、カラーデータの印刷処理を開始させる。
【００６９】
時刻Ｔ２２
ＣＰＵ１３（図１）は、カラーデータの印刷処理を終了する。
【００７０】
図７は、実施例１の電源投入時にカラーデータを受信した場合のタイムチャートである。
図の上から順番に（ａ）初期化処理、（ｂ）キャリブレーション処理、（ｃ）印刷データの受信、及び（ｄ）印刷処理、各々の開始・終了（オン・オフ）を表し、最下段に各項目共通の時刻を表している。時刻Ｔ３０〜時刻Ｔ３６まで時刻順に説明する。
【００７１】
時刻Ｔ３０
画像形成装置１００（図１）に電源が投入され、初期化処理が開始される。
【００７２】
時刻Ｔ３１
ＲＯＭ１４（図１）及びＲＡＭ１５（図１）のチェック、メニュー値の設定などが終了すると、データ受信部１（図１）は、ネットワーク３１０（図１）を介してホストコンピュータ３００（図１）からデータ受信可能になる。
ほぼ同時にキャリブレーション実行部９（図１）がキャリブレーション処理を開始する。
【００７３】
時刻Ｔ３２
データ受信部１（図１）がネットワーク３１０（図１）を介してホストコンピュータ３００（図１）からカラーデータを受信する。
【００７４】
時刻Ｔ３３
キャリブレーション実行部９（図１）は、キャリブレーションの実行を終了する。
【００７５】
時刻Ｔ３４
印刷工程起動部１２（図１）は、キャリブレーションの終了とウォーミングアップの完了により、画像形成装置１００（図１）が印刷処理可能状態になったと判断する。この判断に基づいてＣＰＵ１３（図１）は、カラーデータの印刷処理を開始させる。
【００７６】
時刻Ｔ３５
データ受信部１（図１）がカラーデータを受信を終了する。
【００７７】
時刻Ｔ３６
カラーデータの印刷処理を終了する。
【００７８】
以上説明したように、本実施例によれば、印刷処理を実行する前に、その画像形成装置がキャリブレーションの完了前であるとき、後に続くデータがカラーデータの場合には、その印刷の前にキャリブレーションを完了させるが、後に続くデータがモノクロデータの場合には、キャリブレーションを一旦保留し、印刷処理終了後に実行することとする。従って、画像品質が、それほど求められないモノクロデータの場合に、一旦キャリブレーションの実行を保留し、モノクロデータの印刷後に実行されることになるので、スループット能力が低下してしまうという不都合が発生しなくなるという効果を得る。但し、モノクロデータの印刷後にキャリブレーショを実行することによって、画像品質が無制限に劣化するのを防止することが出来る。
【００７９】
尚、本実施例では、モノクロデータの印刷であっても、印刷終了後にキャリブレーションを実行することとしたが、モノクロデータの印刷が続く場合には、キャリブレーションの実行を保留し、カラーデータが後に続く場合のみ、印刷終了後にキャリブレーションを実行することとしても良い。
【００８０】
又、本実施例では、受信データが、モノクロデータであるか又はカラーデータであるかについて記載したが、本発明は、この例に限定されるものではない。即ち、受信データが、階調データであるか否かでキャリブレーションの実行を判断しても良い。更には、単色使用か、複数色使用かで判断しても良い。
【００８１】
更に、本実施例では、キャリブレーショの実行を濃度補正に限定して説明したが、本発明はこの例に限定されるものでは無い。即ち、色ずれ補正にも適用可能である。ここで色ずれ補正とは、各色のＬＥＤヘッドの位置ずれを検出し、その位置を補正するものである。
【実施例２】
【００８２】
図８は、実施例２による画像形成装置の機能ブロック図である。
図に示すように、実施例２の画像形成装置２００は、データ受信部１と、入出力バッファ２と、操作パネル３と、パネルＩＦ部４と、外部メモリ５と、メモリＩＦ部６と、画像情報生成部７と、画像情報展開部８と、キャリブレーション実行部９と、印刷条件判断部１０と、キャリブレーション保留決定部１１と、印刷工程起動部１２と、ＣＰＵ１３と、ＲＯＭ１４と、ＲＡＭ１５と、共通バス１６と、シャッター機構５１と、反射型センサ５２と、エンジン制御部７０と、エンジンＩＦ部７１と、プリントエンジン部９０と、モード切替部９５とを備える。以下に実施例１との相違部分のみについて詳細に説明する。実施例１と同様の部分については、実施例１と同一の符号を付して説明を省略する。
【００８３】
モード切替部９５は、印刷モードをカラーモード９５−１、又は、モノクロモード９５−２に切替設定可能とし、モノクロモード９５−２に設定されると、キャリブレーション実行部９の起動を停止させる部分である。ここで印刷モードの切替設定は、利用者が操作パネル３を介して所定のモードを入力することによって実行される。あるいは又、ホストコンピュータ３００からデータ受信部１を介するコマンド切替によって実行される。他の部分は、全て実施例１と同様なので説明を省略する。
【００８４】
次に本実施例の画像形成装置２００の印刷処理動作について説明する。最初にフローチャートを用いて説明し、続いてタイムチャートを用いて説明する。
図９は、実施例２の画像形成装置の印刷処理フローチャートである。
画像形成装置２００の印刷処理動作について、図のステップＳ２−１〜ステップＳ２−６までステップ順に説明する。
【００８５】
ステップＳ２−１
画像形成装置２００（図８）に電源が投入されると、ＣＰＵ１３（図８）の制御に基づいて各構成部分の初期化が開始される。この初期化には、ＲＯＭ１４（図８）及びＲＡＭ１５（図８）のチェック、メニュー値の設定、…等々、印刷工程を起動するために必要なプログラム的準備の全てを含むものとする。
【００８６】
ステップＳ２−２
ＲＯＭ１４（図８）及びＲＡＭ１５（図８）のチェック、メニュー値の設定などが終了すると、データ受信部１（図８）は、ネットワーク３１０（図８）を介してホストコンピュータ３００（図８）からデータ受信可能になる。そこでデータ受信部１（図８）は、データ受信を待って待機する。データが受信されればステップＳ２−４へ進み、データが受信されなければ、ステップＳ２−３へ進む。
【００８７】
ステップＳ２−３
プリントエンジン部９０（図８及び図２）のウォーミングアップ等、その他の処理、例えば消費電力を節減するためのスリープ状態などを維持し、データが受信されればスリープ状態を解消してステップＳ２−４へ進む。
【００８８】
ステップＳ２−４
ＣＰＵ１３（図８）は、モード切替部９５（図８）が、カラーモード９５−１（図８）に設定されている場合には、実施例１と同様なので、図４のステップＳ１−４へ進み、以後、既に説明したステップＳ１−４〜ステップＳ１−１２まで進んでフローを終了する。モード切替部９５（図８）がモノクロモード９５−２（図８）に設定されている場合にはステップＳ２−５へ進む。
【００８９】
ステップＳ２−５
印刷条件判断部１０（図８）は、入出力バッファ２（図８）から受信データを受入れて後に続く印刷処理がモノクロページであるか否かを判断し、モノクロページである場合にはステップＳ２−６へ進み、そうでない場合にはエラーとしてフローを中断し、その旨、操作パネル３へ表示して利用者に警告して対処させる。
【００９０】
ステップＳ２−６
印刷工程起動部１２（図８）による、画像形成装置２００（図８）が印刷処理可能状態（初期化終了）になったとの判断を待ってＣＰＵ１３は、受信データの印刷処理を実行しフローを終了する。
【００９１】
図１０は、実施例２の電源投入時にモノクロデータを受信した場合のタイムチャートである。
図の上から順番に（ａ）初期化処理、（ｂ）キャリブレーション処理、（ｃ）印刷データの受信、及び（ｄ）印刷処理、各々の開始・終了（オン・オフ）を表し、最下段に各項目共通の時刻を表している。時刻Ｔ４０〜時刻Ｔ４５まで時刻順に説明する。
【００９２】
時刻Ｔ４０
画像形成装置２００（図８）に電源が投入され、初期化処理が開始される。
【００９３】
時刻Ｔ４１
ＲＯＭ１４（図８）及びＲＡＭ１５（図８）のチェック、メニュー値の設定などが終了すると、データ受信部１（図８）は、ネットワーク３１０（図８）を介してホストコンピュータ３００（図８）からデータ受信可能になる。
【００９４】
時刻Ｔ４２
データ受信部１（図８）がネットワーク３１０（図８）を介してホストコンピュータ３００（図８）からモノクロデータを受信する。このときキャリブレーションは保留されている。
【００９５】
時刻Ｔ４３
印刷工程起動部１２（図８）は、画像形成装置２００（図８）が印刷処理可能状態になったと判断する。この判断に基づいてＣＰＵ１３（図８）は、受信データの印刷処理を開始する。
【００９６】
時刻Ｔ４４
データ受信部１（図８）がモノクロデータを受信を終了する。
【００９７】
時刻Ｔ４５
ＣＰＵ１３（図８）は、受信データの印刷処理を終了する。
【００９８】
図１１は、実施例２の電源投入時にカラーデータを受信した場合のタイムチャートである。
図の上から順番に（ａ）初期化処理、（ｂ）キャリブレーション処理、（ｃ）印刷データの受信、（ｄ）印刷処理、及び（ｅ）エラー処理、各々の開始・終了（オン・オフ）を表し、最下段に各項目共通の時刻を表している。時刻Ｔ５０〜時刻Ｔ５４まで時刻順に説明する。
【００９９】
時刻Ｔ５０
画像形成装置２００（図８）に電源が投入され、初期化処理が開始される。
【０１００】
時刻Ｔ５１
ＲＯＭ１４（図８）及びＲＡＭ１５（図８）のチェック、メニュー値の設定などが終了すると、データ受信部１（図８）は、ネットワーク３１０（図８）を介してホストコンピュータ３００（図８）からデータ受信可能になる。
【０１０１】
時刻Ｔ５２
データ受信部１（図８）がネットワーク３１０（図８）を介してホストコンピュータ３００（図８）からカラーデータを受信する。
【０１０２】
時刻Ｔ５３
印刷条件判断部１０（図８）は、入出力バッファ２（図８）から受信データを受入れて後に続く印刷処理が、カラー処理であると判断し、エラーとしてフローを中断し、その旨、操作パネル３へ表示して利用者に警告して動作を終了する。
【０１０３】
以上説明したように、本実施例によれば、モード切替部を備え、利用者が予めモノクロモードを設定することによって、印刷データがモノクロデータの場合には、直ちに印刷を行うことが可能になり、モノクロ印刷のスループットを改善することが出来るという効果を得る。
【産業上の利用可能性】
【０１０４】
以上の説明では、本発明をカラー電子写真方式のプリンタに適用した場合について説明したが、本発明は、この例に限定されるものではない。即ち、ファクシミリ装置や、複写機などにも適合可能である。又、画像形成装置をタンデム方式について説明したが、いわゆる中間転写方式の画像形成装置でも適用可能である。
【図面の簡単な説明】
【０１０５】
【図１】実施例１による画像形成装置の機能ブロック図である。
【図２】プリントエンジン部の概要説明図である。
【図３】濃度検出用パターンの説明図である。
【図４】実施例１の画像形成装置の印刷処理フローチャートである。
【図５】実施例１の電源投入時にモノクロデータを受信した場合のタイムチャートである。
【図６】実施例１の電源投入時にモノクロ・カラーデータを受信した場合のタイムチャートである。
【図７】実施例１の電源投入時にカラーデータを受信した場合のタイムチャートである。
【図８】実施例２による画像形成装置の機能ブロック図である。
【図９】実施例２の画像形成装置の印刷処理フローチャートである。
【図１０】実施例２の電源投入時にモノクロデータを受信した場合のタイムチャートである。
【図１１】実施例２の電源投入時にカラーデータを受信した場合のタイムチャートである。
【符号の説明】
【０１０６】
１    データ受信部
２    入出力バッファ
３    操作パネル
４    パネルＩＦ部
５    外部メモリ
６    メモリＩＦ部
７    画像情報生成部
８    画像情報展開部
９    キャリブレーション実行部
９−１    濃度検出用パターン形成手段
９−２    画像濃度検出手段
９−３    濃度補正手段
１０    印刷条件判断部
１１    キャリブレーション保留決定部
１２    印刷工程起動部
１３    ＣＰＵ
１４    ＲＯＭ
１５    ＲＡＭ
５１    シャッタ機構
５２    反射型センサ
７０    エンジン制御部
７１    エンジンＩＦ部
９０    プリントエンジン部
１００    画像形成装置
３００    ホストコンピュータ
３１０    ネットワーク
【図１】
2007065377.tif 000003
【図２】
2007065377.tif 000004
【図３】
2007065377.tif 000005
【図４】
2007065377.tif 000006
【図５】
2007065377.tif 000007
【図６】
2007065377.tif 000008
【図７】
2007065377.tif 000009
【図８】
2007065377.tif 000010
【図９】
2007065377.tif 000011
【図１０】
2007065377.tif 000012
【図１１】
2007065377.tif 000013